(57)【特許請求の範囲】
【請求項１】
少なくとも一部が径方向に重なっていて、回転方向および光軸方向の相対移動が可能な一対の筒状部材と；
上記筒状部材の一方を回転駆動したときに他方の筒状部材を該一方の筒状部材に対し光軸方向に進退させる駆動機構と；
上記一対の筒状部材の対向する周面の一方に設けられたカム溝と、
上記一対の筒状部材の対向する周面に設けられた、非螺合関係で対をなす螺旋状遮光突起と；を備え、
上記カム溝を有する筒状部材の周面には、上記カム溝を挟んで平行に延びる対をなす螺旋状遮光突起が形成され、他方の筒状部材の対向する周面には、上記カム溝を挟んで平行に延びる対をなす螺旋状遮光突起と平行に螺旋状遮光突起が形成され、これらの螺旋状遮光突起が、上記一対の筒状部材の相対回転および光軸方向の相対移動を妨げずに該一対の筒状部材の間からの光の進入を防ぐ態様で設けられていることを特徴とするズームレンズ鏡筒の漏光防止装置。
【請求項２】
請求項１に記載のズームレンズ鏡筒の漏光防止装置において、上記一対の筒状部材は回転繰出筒と該回転繰出筒の内側に位置する直進進退筒であって、さらに上記駆動機構は、
上記直進進退筒の内側に位置し、上記回転繰出筒に対し相対回転は自在で光軸方向の相対移動は不能に結合され、光軸方向に直進案内された直進案内筒と；
この直進案内筒に形成した光軸方向の直進案内溝とを備え；
上記カム溝および該カム溝を挟んで平行に延びる対をなす螺旋状遮光突起が上記回転繰出筒の内周面に設けられ；
上記直進案内筒の直進案内溝と上記回転繰出筒のカム溝の両方に係合する被案内部材が上記直進進退筒に固定されているズームレンズ鏡筒の漏光防止装置。
【請求項３】
請求項２に記載のズームレンズ鏡筒の漏光防止装置において、上記直進案内筒の内側にはさらに移動レンズ群が設けられ、上記被案内部材には上記直進案内溝を貫通して該移動レンズ群が固定されており、回転繰出筒に対する直進進退筒の光軸方向の進退移動に伴って移動レンズ群が該直進進退筒と一体に移動されるズームレンズ鏡筒の漏光防止装置。
【発明の詳細な説明】
【０００１】
【技術分野】
本発明は、カメラのズームレンズ鏡筒に関し、特にその漏光防止装置に関する。
【０００２】
【従来技術およびその問題点】
光軸方向に相対移動可能な複数のレンズ群を移動させて焦点距離を変化させるズームレンズ鏡筒では、ズーミングを行わせるために各種の鏡筒が備えられている。これらの鏡筒には、鏡筒間に入りこむ光が撮影に悪影響を与えるのを防止するために、何らかの遮光手段が施されている。
【０００３】
例えばカムによって位置規制を行う鏡筒は、カム環と内径側鏡筒の径方向の隙間から光が入射してしまうので、鏡筒間に光線を入射させないためには鏡筒の前端部にゴムなど別部材の遮光部材を設けなければならない。しかし、ゴム製の遮光部材は高価であるうえ、通常、進退動する鏡筒の外周面に押圧接触させて設けられるため、レンズ鏡筒の繰り出し機構に一定の負荷を与え、よってバッテリーの消耗を早めるなどの不都合を生じさせる虞がある。
【０００４】
一方、ヘリコイド結合を用いてレンズ鏡筒を進退させる場合は、ヘリコイドのねじ山が光軸方向に複数条オーバーラップし、ヘリコイド部分よりも後方に漏光することはないので、特に遮光手段を設ける必要はない。
【０００５】
【発明の目的】
本発明は上記の点を鑑み、カムによる位置規制を行うレンズ鏡筒からの漏光を、別部材の遮光部材を設けずに防止することを目的とする。
【０００６】
【発明の概要】
本発明のズームレンズ鏡筒の漏光防止装置は、少なくとも一部が径方向に重なっていて、回転方向および光軸方向の相対移動が可能な一対の筒状部材と；上記筒状部材の一方を回転駆動したときに他方の筒状部材を該一方の筒状部材に対し光軸方向に進退させる駆動機構と；上記一対の筒状部材の対向する周面の一方に設けられたカム溝と、上記一対の筒状部材の対向する周面に設けられた、非螺合関係で対をなす螺旋状遮光突起と；を備え、上記カム溝を有する筒状部材の周面には、上記カム溝を挟んで平行に延びる対をなす螺旋状遮光突起が形成され、他方の筒状部材の対向する周面には、上記カム溝を挟んで平行に延びる対をなす螺旋状遮光突起と平行に螺旋状遮光突起が形成され、これらの螺旋状遮光突起が、上記一対の筒状部材の相対回転および光軸方向の相対移動を妨げずに該一対の筒状部材の間からの光の進入を防ぐ態様で設けられていることを特徴としている。
【０００７】
この漏光防止装置において、上記一対の筒状部材は回転繰出筒と該回転繰出筒の内側に位置する直進進退筒であって、さらに上記駆動機構は、上記直進進退筒の内側に位置し、上記回転繰出筒に対し相対回転は自在で光軸方向の相対移動は不能に結合され、光軸方向に直進案内された直進案内筒と；この直進案内筒に形成した光軸方向の直進案内溝とを備え；上記カム溝および該カム溝を挟んで平行に延びる対をなす螺旋状遮光突起が上記回転繰出筒の内周面に設けられ；上記直進案内筒の直進案内溝と上記回転繰出筒のカム溝の両方に係合する被案内部材が上記直進進退筒に固定；されていると実際的である。
【０００８】
さらにこの漏光防止装置において、上記直進案内筒の内側にはさらに移動レンズ群が設けられ、上記被案内部材には上記直進案内溝を貫通して該移動レンズ群が固定されており、回転繰出筒に対する直進進退筒の光軸方向の進退移動に伴って移動レンズ群が該直進進退筒と一体に移動される構造とすると好ましい。
【０００９】
【発明の実施の形態】
以下図示実施形態に基づいて本発明を説明する。図１に示すように、本発明を適用したズームレンズ鏡筒は、第１レンズ群Ｌ１および第２レンズ群Ｌ２の前後２群の可動レンズ群を有し、これらを所定の軌跡で移動させることによりズーミングを行わせ、第１レンズ群Ｌ１を移動させることによりフォーカシングを行わせるものである。なお、本発明の要旨に関係がないので、第２レンズ群Ｌ２を駆動するための駆動機構の図示は省略している。
【００１０】
固定環１０は、カメラ本体に対し公知の手段により固定されている。この固定環１０はその内周に形成された雌ヘリコイド１１と、この雌ヘリコイド１１と交差し光軸Ｏと平行に伸びる直進案内溝１２を備えている。
【００１１】
固定環１０の内方には、雄ヘリコイド環２０が位置している。この雄ヘリコイド環２０はその後部外周に形成された雄ヘリコイド２１を備えており、この雄ヘリコイド２１は固定環１０の雌ヘリコイド１１と螺合している。また雄ヘリコイド環２０はその内周に、光軸Ｏと平行に伸びる係合溝（有底溝）２２を備えている。さらにこの雄ヘリコイド環２０は後部に、径方向内側に向かって突出する突起部２３を備えている。
【００１２】
雄ヘリコイド環２０の内方には、直進環３０が位置している。この直進環３０は、後部外周に備えた係合溝３５に雄ヘリコイド環２０の突起部２３が係合することにより、雄ヘリコイド環２０と相対回転自在で光軸方向には一体に移動するように支持されている。さらに直進環３０はその後端部に、径方向外側に向かって突出する突起３１を備えており、この突起３１は固定環１０の直進案内溝１２内に摺動可能に係合されている。よって直進環３０は光軸方向に直進案内されかつ固定環１０に対して相対回転不能とされている。直進環３０はまた、その内周に形成された雌ヘリコイド３２と、この雌ヘリコイド３２と平行な螺旋状に形成された螺旋溝（貫通溝）３３を備えている。直進環３０の内周にはさらに、これら螺旋溝３３および雌ヘリコイド３２と交差し、光軸Ｏと平行に伸びる直進案内溝３４が形成されている。
【００１３】
直進環３０の内方には、カム環４０が位置している。このカム環４０はその後部外周に形成された雄ヘリコイド４１と径方向外側へ突出する係合ピン（径方向突起）４２を備えており、この雄ヘリコイド４１は直進環３０の内周に形成された雌ヘリコイド３２と螺合している。係合ピン４２には円筒状のローラ７０が嵌められており、この係合ピン４２およびローラ７０は螺旋溝３３を介し雄ヘリコイド環２０の係合溝２２内に摺動可能に係合されている。したがってカム環４０は雄ヘリコイド環２０と一体に回転するように規制されている。
【００１４】
またカム環４０は、その内周に形成された、本発明の特長である内径側螺旋状遮光突起４５および第１レンズ群用カム溝４４と、第２レンズ群用カム溝４７を備えている。図４にカム環４０の内径部展開図を示す。カム環４０の後端には径方向内側へ向かって突出する突起４６が形成されている。
【００１５】
カム環４０の内方には、可動レンズ鏡筒（直進進退筒）５０が位置している。この可動レンズ鏡筒５０はその後部外周に形成された、内径側螺旋状遮光突起４５と対をなす外径側螺旋状遮光突起５１を備えている。この外径側螺旋状遮光突起５１と内径側螺旋状遮光突起４５は、螺合せず、当接することはあっても互いに力を及ぼすことはない関係で、カム環４０と可動レンズ鏡筒５０との相対回転および光軸方向の相対移動を妨げずに鏡筒間からの光の進入を防ぐ態様で設けられている。図５に可動レンズ鏡筒５０の外径部展開図を示す。
【００１６】
可動レンズ鏡筒５０には図５に示すように、外径側螺旋状遮光突起５１の延長線上にピン穴５２が形成されていて、このピン穴５２にはガイド軸８０が固定されている。このガイド軸８０は内径側に第１レンズ群枠１００を支持し、外径側にカムピン８１を備えている。カムピン８１を摺動させる第１レンズ群用カム溝４４は、図４に示すようにカム環４０の内径側螺旋状遮光突起４５の間に形成され、螺旋状遮光突起４５と交差せず、カム環４０の壁面を貫通しない。またカム環４０には、第２レンズ群用カム溝４７が、カム環４０の壁面は貫通しないが内径側螺旋状突起４５と交差し、部分的に内径側螺旋状遮光突起４５を切除して形成されている。第２レンズ群Ｌ２は、Ｕ溝５３を貫通して第２レンズ群用カム溝４７内を摺動する、被案内部材（図示せず）に固定されているから、図５に示すように第２レンズ群Ｌ２の光軸方向前方には、常に１条の螺旋状遮光突起が備えられる。
【００１７】
可動レンズ鏡筒５０の内方にはさらに、カム環４０と光軸方向に一体に移動可能な直進案内環６０が位置している。この直進案内環６０はその後端部に、径方向外側に突出して形成された突起６１を備えており、この突起６１は直進環３０の直進案内溝３４内に摺動可能に係合されている。したがって、直進案内環６０は光軸方向に直進案内されかつ直進環３０に対して相対回転不能とされている。また、この突起６１の前方には突起６２が形成されていて、この突起６１と突起６２の間に突起４６が挟まれるので、カム環４０は直進案内環６０に対し相対回動自在で光軸方向には一体に移動する。突起６２の前方には、光軸Ｏと平行に伸びる直進案内溝６３が形成されており、その溝内を摺動可能に第１レンズ群枠１００が嵌まっている。この第１レンズ群枠１００には、ガイド軸８０のガイドピン８２が固定されている。第１レンズ群Ｌ１は直進案内環６０の内方に位置し、第１レンズ群枠１００に支持されている。第１レンズ群枠１００は、ガイド軸８０のカムピン８１がカム環４０に形成された所定の形状を呈する第１レンズ群用カム溝４４と係合しているので、カム環４０の回動により光軸方向に進退する構成とされている。
【００１８】
上記構成からなる本ズームレンズ鏡筒は、雄ヘリコイド環２０が固定環１０に対し正逆に回動されると、この雄ヘリコイド環２０は回転しながら雌ヘリコイド１１および雄ヘリコイド２１のリードに随って光軸方向に移動する。この雄ヘリコイド環２０の移動に伴って、雄ヘリコイド環２０に対し相対回転可能かつ固定環１０に対し相対回転不可能に取りつけられた直進環３０が回転しないで光軸方向に移動する。またこの雄ヘリコイド環２０の回転によって、係合溝２２に係合したローラ７０（係合ピン４２）が光軸中心に回転されるので、雌ヘリコイド３２および雄ヘリコイド４１のリードに随って、カム環４０が回転しながら光軸方向に移動する。カム環４０の移動に伴って、カム環４０に対し相対回転可能で光軸方向には一体に移動するように取りつけられた直進案内環６０が、回転せずに光軸方向に移動する。この直進案内環６０の移動とカム環４０の回転により、直進案内溝６３によって直進案内されたガイド軸８０のカムピン８１が、第１レンズ群用カム溝４４に随い光軸方向に移動するので、ガイド軸８０に固定された第１レンズ群枠１００が光軸方向に移動される。以上のように、第１レンズ群Ｌ１と第２レンズ群Ｌ２が所定の間隔で移動し、焦点距離が変化される。
【００１９】
図２に本発明による内径側螺旋状遮光突起４５と外径側螺旋状遮光突起５１を当接させた断面図を示す。この螺旋状遮光突起は、断面が台形状のヘリコイドねじの、ねじ山を切除した形状に形成されていて、本実施形態では、３６条ヘリコイドのねじ山を、４条につき３条切除して等間隔の９条にしたものと同じ形状となっている。この螺旋状遮光突起はねじ山に対してねじみぞが広いので、通常のヘリコイドねじと異なり、螺合しない。比較のため図３に、ねじ山が削除されていない通常の３６条ヘリコイド９０、９１が螺合している状態の断面を示す。図６は、本発明による螺旋状遮光突起を備えたカム環４０と可動レンズ鏡筒５０の展開図を重ねたものであり、カム環４０と可動レンズ鏡筒５０が係合し、Ｕ溝５３を貫通して第２レンズ群Ｌ２を支持する被案内部材（図示せず）が第２レンズ群用カム溝４７内を移動している状態では、第２レンズ群用カム溝４７が部分的に内径側螺旋状遮光突起４５を切除しても、いずれの部分においてもカム溝よりも光軸方向前方に、螺旋状遮光突起が１条以上備えられていることを示している。
【００２０】
したがってカム環４０と可動レンズ鏡筒５０は、対向する周面に設けられた対をなす螺旋状遮光突起４５、５１によって鏡筒間後方への光線を遮光しながら相対移動できる。また通常のねじと異なり螺合しないので、カム環４０と可動レンズ鏡筒５０は、螺旋状遮光突起４５、５１に沿わない相対回転および光軸方向の相対移動が可能になっている。
【００２１】
なお、図７に示すように、直進環３０の螺旋溝３３は、内径側の溝幅ｔ１よりも外径側の溝幅ｔ２のほうが狭いテーパ形状、つまり内径側が長辺である略台形の断面形状で、直進環３０の壁面を貫通して形成されている。また螺旋溝３３の一部には、ローラ７０の組み付け用に、環状突起部７１が貫通可能な組み付け穴３６が形成されている（図８）。係合ピン４２に嵌められるローラ７０は、外径ｄ１の円筒形状からなっていて、外周の中間部に直径ｄ２（ｄ１＜ｄ２）の環状突起部７１が形成されている。直進環３０をカム環４０に組み込んで、組み付け穴３６にカム環４０の係合ピン４２を位置させれば、直進環３０の外側からローラ７０を係合ピン４２に嵌めることができる。この組み付け穴３６の部分を除いて、螺旋溝３３の溝幅は、ローラ７０に対してｄ１＜ｔ２＜ｄ２＜ｔ１の関係を有しているから、ローラ７０は、係合ピン４２に嵌められた後は抜け落ちないようになっている。さらに、ローラ７０を係合溝２２に嵌合させて、直進環３０を雄ヘリコイド環２０に組み付ければ、ローラ７０の移動は係合溝２２によって規制されるので、ローラ７０が組み付け穴３６に位置したときも脱落することはない。
【００２２】
【発明の効果】
以上のように、本発明によれば、相対移動する２つの鏡筒間に、別部材として遮光部材を設けなくても、鏡筒先端からの漏光を防ぐことが可能なズームレンズ鏡筒を提供できる。また、別部材の遮光部材を設ける必要がないため、鏡筒の繰り出し機構の負荷を低減させ、よって電動駆動のズームレンズ鏡筒に適用すればバッテリーの消費量を少なくでき、さらにはズームレンズ鏡筒の小型化および生産コストの削減が実現される。
【図面の簡単な説明】
【図１】本発明による漏光防止装置を適用したズームレンズ鏡筒の上半断面図である。
【図２】本発明による螺旋状遮光突起の当接状態を示す断面図である。
【図３】従来のヘリコイドを示す断面図である。
【図４】本発明による螺旋状遮光突起を形成したカム環を示す展開図である。
【図５】本発明による螺旋状遮光突起を形成した可動レンズ鏡筒を示す展開図である。
【図６】図４および図５に示すカム環および可動レンズ鏡筒を、使用状態の位置関係に重ねて示した展開図である。
【図７】図１のＶＩＩ‐ＶＩＩ線に沿う、鏡筒の組付構造を示す拡大断面図である。
【図８】図７に示す組付状態から鏡筒の相対位置が移動し、係合ピンが組み付け穴に位置された状態を示す拡大断面図である。
【符号の説明】
１０    固定環
１１    雌ヘリコイド
１２    直進案内溝
２０    雄ヘリコイド環
２１    雄ヘリコイド
２２    係合溝（有底溝）
２３    突起部
３０    直進環
３１    突起
３２    雌ヘリコイド
３３    螺旋溝
３４    直進案内溝
３５    係合溝
３６    組み付け穴
４０    カム環
４１    雄ヘリコイド
４２    係合ピン
４４    第１レンズ群用カム溝
４５    内径側螺旋状遮光突起
４６    突起
４７    第２レンズ群用カム溝
５０    可動レンズ鏡筒（直進進退筒）
５１    外径側螺旋状遮光突起
５２    ピン穴
５３    Ｕ溝
６０    直進案内環
６１    突起
６２    突起
６３    直進案内溝
７０    ローラ
７１    環状突起部
８０    ガイド軸
８１    カムピン
８２    ガイドピン
９０  ９１    ３６条ヘリコイド
１００    第１レンズ群枠
Ｌ１    第１レンズ群
Ｌ２    第２レンズ群
Ｏ    光軸
ｄ１    ローラ７０の外径
ｄ２    環状突起部７１の外径
ｔ１    螺旋溝３３の内径側の溝幅
ｔ２    螺旋溝３３の外径側の溝幅
【図１】
0003548471.tif 000002
【図２】
0003548471.tif 000003
【図３】
0003548471.tif 000004
【図４】
0003548471.tif 000005
【図５】
0003548471.tif 000006
【図６】
0003548471.tif 000007
【図７】
0003548471.tif 000008
【図８】
0003548471.tif 000009